(57)【要約】【課題】複数の発光素子を有する画像表示装置を開示する。【解決手段】画像表示装置は、発光素子が発光するときに画像表示部の所望しない領域に３８０ｎｍ〜４５０ｎｍの紫色波長が漏出することを遮断するために、Ｂｉ２Ｏ３などの３８０ｎｍ〜４５０ｎｍの波長吸収物質を含有する第１光フィルタ層２を含むとともに、画像表示部の所望する領域で白色光が発現されるようにするために、青色フィルタ層などの第２光フィルタ層１を含んで構成されており、このような光フィルタ複合層の採用によって、紫色漏出現象の遮断効果および白色光維持効果を発揮する。【選択図】図１
2008171002.tif 000002
【特許請求の範囲】
【請求項１】
複数の発光素子を用いる画像表示装置において、
画像を表示する画像表示部と、
前記画像表示部の所望しない領域に３８０ｎｍ〜４５０ｎｍの波長が漏出することを遮断する第１光フィルタ層と、
前記画像表示部の所望する領域で白色光が発現されるように調節する第２光フィルタ層と、
を含んで構成されることを特徴とする画像表示装置。
【請求項２】
前記複数の発光素子は第１発光素子と第２発光素子とを含み、
前記第１発光素子は、３８０ｎｍ〜４５０ｎｍの裾部を有する波長分布の光を出射し、
第２発光素子は、白色光を出射することを特徴とする請求項１に記載の画像表示装置。
【請求項３】
前記第１光フィルタ層は、３８０ｎｍ〜４５０ｎｍの波長の光を吸収することができる無機物粒子を含有することを特徴とする請求項１に記載の複数の発光素子を有する画像表示装置。
【請求項４】
前記第２光フィルタ層はカラーフィルタ層であり、前記第１光フィルタ層上に積層されることを特徴とする請求項１または２に記載の画像表示装置。
【請求項５】
前記第２光フィルタ層は、青色フィルタ層であることを特徴とする請求項４に記載の画像表示装置。
【請求項６】
前記第１光フィルタ層に含まれる前記無機物粒子は、無機物粒子は、Ｃｏ３Ｏ４、ＺｒＯ２、Ａｌ２Ｏ３、Ｆｅ２Ｏ３、Ｂｉ２Ｏ３、ＺｎＯ、ＳｎＯ２、Ｉｎ２Ｏ３、Ｓｂ２Ｏ３、Ｖ２Ｏ５、Ｃｒ２Ｏ３、ＣｕＯ、ＭｎＯ、ＮｉＯ、Ｃｅ２Ｏ３、Ｂ２Ｏ３、Ｔａ２Ｏ３、ＷＯ３、ＴｉＯ２、およびＹｂ２Ｏ３からなる群から選択される少なくとも１つであることを特徴とする請求項３に記載の画像表示装置。
【請求項７】
さらに、前記発光素子から出射する光の波長に応じて選択的に反応し、光を多様な色相に変換させる色相発現光フィルタ層を含んで構成されることを特徴とする請求項１に記載の複数の発光素子を有する画像表示装置。
【請求項８】
前記色相発現光フィルタ層は、赤（ｒｅｄ）色、緑（ｇｒｅｅｎ）色、および青（ｂｌｕｅ）色に発光する蛍光体で成されており、前記第２発光素子から出射した白色光に反応せず、前記第１発光素子から出射した光に反応してそれぞれの色を混合して白色光を発光することを特徴とする請求項７に記載の画像表示装置。
【請求項９】
前記画像表示装置は、電子機器のキーパッドアセンブリであることを特徴とする請求項１に記載の画像表示装置。
【請求項１０】
第１発光素子および第２発光素子を含む２つ以上の複数の発光素子と、
前記複数の発光素子から出射した光が進行する導光板と、
前記導光板の上面に設けられ、複数のキーボタンが配置された第１入力ボードおよび第２入力ボードと、
前記導光板に設けられ、光を前記キーボード側に反射するための複数の反射パターンと、
前記複数の反射パターンの下部に設けられた複数の突起部と、
前記複数の突起部に対応する複数のスイッチを有するスイッチ基板と、を備える電子機器のキーパッドアセンブリであって、
前記第１入力ボードの下部に設けられ、前記発光素子から生成される光の波長に応じて選択的に反応し、目標とする色相に変換可能な色相発現光フィルタ層と、
前記第２入力ボードの下部に設けられ、３８０ｎｍ〜４５０ｎｍの波長の光が漏出することを遮断する第１光フィルタ層及び白色光を発現するように調節する第２光フィルタ層と、
を含んで構成されていることを特徴とする電子機器のキーパッドアセンブリ。
【請求項１１】
前記第１発光素子は、３８０ｎｍ〜４５０ｎｍの裾部を有する波長分布の光を出射し、
前記第２発光素子は、白色光を出射することを特徴とする請求項１０に記載の電子機器のキーパッドアセンブリ。
【請求項１２】
前記第１光フィルタ層は、３８０ｎｍ〜４５０ｎｍの波長の光を吸収することができる無機物粒子を含有することを特徴とする請求項１０に記載の電子機器のキーパッドアセンブリ。
【請求項１３】
前記第２光フィルタ層はカラーフィルタ層であり、前記第１光フィルタ層上に積層されることを特徴とする請求項１０または１１に記載の電子機器のキーパッドアセンブリ。
【請求項１４】
前記第２発光素子の光源が中心波長４６６ｎｍの青色波長と中心波長５５１ｎｍの黄色波長とを合わせて白色光を発光する場合、前記第２光フィルタ層は、青色フィルタ層であることを特徴とする請求項１３に記載の電子機器のキーパッドアセンブリ。
【請求項１５】
前記第１光フィルタ層に含まれる無機物粒子は、Ｃｏ３Ｏ４、ＺｒＯ２、Ａｌ２Ｏ３、Ｆｅ２Ｏ３、Ｂｉ２Ｏ３、ＺｎＯ、ＳｎＯ２、Ｉｎ２Ｏ３、Ｓｂ２Ｏ３、Ｖ２Ｏ５、Ｃｒ２Ｏ３、ＣｕＯ、ＭｎＯ、ＮｉＯ、Ｃｅ２Ｏ３、Ｂ２Ｏ３、Ｔａ２Ｏ３、ＷＯ３、ＴｉＯ２、およびＹｂ２Ｏ３からなる群から選択される少なくとも１つであることを特徴とする請求項１０または１２に記載の電子機器のキーパッドアセンブリ。
【請求項１６】
前記色相発現光フィルタ層は、
赤（ｒｅｄ）色、緑（ｇｒｅｅｎ）色、および青（ｂｌｕｅ）色に発光する蛍光体で成されており、前記第２発光素子から出射した白色光に反応せずに、前記第１発光素子から出射した光に反応してそれぞれの色を混合して白色光を発光することを特徴とする請求項１０または１１に記載の電子機器のキーパッドアセンブリ。
【発明の詳細な説明】
【技術分野】
【０００１】
本発明は、画像表示装置に関し、より詳細には、各発光素子の光源を適用するときに発現したい原色を維持させ、所望しない他の色の干渉および原色の変化を防ぐための複数の発光素子を有する画像表示装置に関する。
【背景技術】
【０００２】
近年、ＤＭＢなどを含む携帯電話はもちろん、パーソナルコンピュータ、高速データ通信機器、テレマティクス端末機、ＤＶＤ機器、乗り物用のナビゲーションシステムなどの多様な画像表示装置の技術分野において、システム性能を向上するための技術が絶えず求められている。
【０００３】
しかしながら、画像表示装置においては、所望する色を思い通りに発現することができないという問題がある。例えば、紫外線（ＵＶ）発光素子を用いる画像表示装置においては、ＵＶ発光素子の光源から紫色波長が漏出したり、白色発光素子を用いた画像表示装置においては、白色光が思い通りに発現されずに他の色に変質してしまうなどの現象が現われたりする。特に、複数の発光素子を用いる画像表示装置の場合、相違する発光素子の光源相互間の影響、または各発光素子を最適化するために採用された光フィルタ層内の材料物質による光の干渉により、各発光素子の光源を適用する際、所望する色が思い通りに発現されず、変質してしまう現象がより深刻化している。
【０００４】
これにより、複数の発光素子を用いる画像表示装置において、各発光素子を適用する際に目的とする色相の発現を最適化し、相違する発光素子の適用を安定的に成すことができる技術が切望されている。
【発明の開示】
【発明が解決しようとする課題】
【０００５】
本発明は、前記課題を解決するために成されたものであって、複数の発光素子を用いる画像表示装置において、ＵＶ発光素子が発光するときに３８０〜４５０ｎｍの紫色波長の漏出を遮断し、白色発光素子が発光するときに白色光を変質させない画像表示装置を提供することを目的とする。
【０００６】
また、本発明は、使用モードに応じて選択的に文字または数字を照明できるように、光の特定の波長サイズに発光または無発光する光フィルタ層を備える電子機器のキーパッドアセンブリを提供することを目的とする。
【０００７】
また、本発明は、ＵＶ発光素子と白色発光素子を用いる電子機器のキーパッドアセンブリであって、ＵＶ発光素子が発光するときに３８０〜４５０ｎｍの紫色波長の漏出を遮断し、白色発光素子が発光するときに白色光を変質させない電子機器のキーパッドアセンブリを提供することを目的とする。
【課題を解決するための手段】
【０００８】
本発明に係る画像表示装置は、第１発光素子および第２発光素子を含む２つ以上の複数の発光素子を用いる画像表示装置であって、画像を表示する画像表示部と、前記画像表示部の所望しない領域に３８０ｎｍ〜４５０ｎｍの波長の光が漏出することを遮断する第１光フィルタ層と、前記画像表示部の所望する領域に白色光が発現されるように調節する第２光フィルタ層とを含んで構成される。
【０００９】
また、前記第１発光素子は、３８０ｎｍ〜４５０ｎｍ範囲の裾部（ｔａｉｌ）を有する波長分布の光を出射し、前記第２発光素子は、白色光を出射する。また、前記第１発光素子から出射する光の中心波長は約３８０ｎｍ〜４２０ｎｍ、または３５０ｎｍ〜４５０ｎｍであり、好ましくは中心波長が約４００ｎｍである。
【００１０】
また、前記第１光フィルタ層は、３８０ｎｍ〜４５０ｎｍの波長を吸収することができる無機物粒子を含む。
【００１１】
本発明に係る複数の発光素子を有する画像表示装置において、前記第１光フィルタ層は、３８０ｎｍ〜４５０ｎｍ範囲の波長を吸収することができる無機物粒子を含む。この場合、前記無機物粒子は、Ｃｏ３Ｏ４、ＺｒＯ２、Ａｌ２Ｏ３、Ｆｅ２Ｏ３、Ｂｉ２Ｏ３、ＺｎＯ、ＳｎＯ２、Ｉｎ２Ｏ３、Ｓｂ２Ｏ３、Ｖ２Ｏ５、Ｃｒ２Ｏ３、ＣｕＯ、ＭｎＯ、ＮｉＯ、Ｃｅ２Ｏ３、Ｂ２Ｏ３、Ｔａ２Ｏ３、ＷＯ３、ＴｉＯ２、およびＹｂ２Ｏ３３から成る群から選択される少なくとも１つを用いる。
【００１２】
本発明に係る複数の発光素子を有する画像表示装置において、前記画像表示装置は、前記発光素子から出射する光の波長によって選択的に反応または無反応し、光を多様な色相に変換させる色相発現光フィルタ層を含んで構成される。このとき、前記色相発現光フィルタ層は、赤、緑、および青色に発光する蛍光体で成されており、前記第１発光素子から出射した光に反応してそれぞれの色を混合して多様な色を発光し、前記第２発光素子から出射した白色光に反応せずに白色光を発光する。
【００１３】
本発明に係る複数の発光素子を有する画像表示装置において、前記画像表示装置は、電子機器のキーパッドアセンブリであり得る。
【００１４】
本発明の他の一側によれば、複数の発光素子を有する画像表示装置として、電子機器のキーパッドアセンブリは、第１発光素子および第２発光素子を含む２つ以上の複数発光素子と、前記発光素子から出射した光が進行する導光板と、前記導光板の上面に設けられ、数字入力ボードおよび文字入力ボードで成された複数のキーボタンと、前記導光板に設けられ、光を前記キーボタン側に反射する複数の反射パターンと、前記複数の反射パターンの下部に設けられた複数の突起と、前記複数の突起に対応する複数のスイッチが具備されたスイッチ基板とを備える電子機器のキーパッドアセンブリにおいて、前記キーボタンの数字入力ボードの下部には、前記発光素子から生成される光の波長に応じて反応または無反応して多様な色相に変換させる色相発現光フィルタ層が設けられており、前記キーボタンの文字入力ボードの下部には、３８０ｎｍ〜４５０ｎｍ範囲の波長が漏出することを遮断する第１光フィルタ層と、白色光が発現されるように調節する第２光フィルタ層とが含まれて構成されている。
【発明の効果】
【００１５】
以上のように構成された本発明に係る複数の発光素子を有する画像表示装置は、Ｂｉ２Ｏ３などの紫色波長を吸収する物質を含む第１光フィルタ層を採用することで、第１発光素子、すなわちＵＶ発光素子が発光するときに画像表示部の所望しない領域で紫色が漏出する現象を防ぎ、青色フィルタ層などの第２光フィルタ層を採用することで、第２発光素子、すなわち白色発光素子が発光するときに画像表示装置内の他の物質による光源の干渉によって青色／黄色波長の比率が変化し、白色で発現されるべき画像表示部の特定の領域が他の色に変質して現われるという現象を防ぐことができる。
【００１６】
また、本発明に係る複数発光素子を有する画像表示装置は、青色フィルタ層などの第２光フィルタ層が第１光フィルタ層の紫色遮断効果に影響を及ぼさない。
【００１７】
また、本発明は、第１発光素子であるＵＶ発光素子と第２発光素子である白色発光素子など複数の発光素子の使用によって数字と文字を選択的に点灯できるとともに、紫色漏出現象の遮断効果と白色光維持効果が優れている電子機器のキーパッドアセンブリを提供することができる。
【発明を実施するための最良の形態】
【００１８】
以下、本発明に係る好ましい一実施形態を添付した図面を参照しながら詳細に説明する。
【００１９】
図１は、本発明に係る画像表示装置を説明するための光フィルタ複合層の一例を示した図である。図１に示されるように、本発明の一実施形態に係る複数の発光素子を有する画像表示装置に用いられる光フィルタ複合層は、第１光フィルタ層２と第２光フィルタ層１とを含んで構成されている。
【００２０】
第１光フィルタ層２は、３８０ｎｍ〜４５０ｎｍの波長を吸収することができる無機物粒子を含有し、第１光フィルタ層２に含まれる前記無機物粒子としては、Ｃｏ３Ｏ４、ＺｒＯ２、Ａｌ２Ｏ３、Ｆｅ２Ｏ３、Ｂｉ２Ｏ３、ＺｎＯ、ＳｎＯ２、Ｉｎ２Ｏ３、Ｓｂ２Ｏ３、Ｖ２Ｏ５、Ｃｒ２Ｏ３、ＣｕＯ、ＭｎＯ、ＮｉＯ、Ｃｅ２Ｏ３、Ｂ２Ｏ３、Ｔａ２Ｏ３、ＷＯ３、ＴｉＯ２、およびＹｂ２Ｏ３からなる群から選択される少なくとも１つを含むことができる。第１光フィルタ層２は、例えば波長範囲３８０ｎｍ〜４５０ｎｍ、狭くは４００ｎｍ〜４５０ｎｍの紫色波長吸収材料として、Ｂｉ２Ｏ３粒子３およびＴｉＯ２粒子４を含むことができる。
【００２１】
第２光フィルタ層１は第１光フィルタ層２上に形成されたカラーフィルタ層であり、例えば青色フィルタ層である。第２光フィルタ層１は白色光を透過させ、画像表示部に究極的に白色が具現されるようにできるものであれば特に限定はされない。カラーフィルタ層の種類は、画像表示装置が有する発光素子の光源の種類によって適宜変更することができる。また、カラーフィルタの含量も特に限定されず、白色光源となる多様な波長間のバランスを維持して白色を具現できる範囲において適宜選択されて調整することが可能である。また、上記カラーフィルタ層は、有機物材料であるか無機物材料であるかに関係なく、本発明の目的を達成できるものであればいずれも使用することができる。
【００２２】
上記第１光フィルタ層２と第２光フィルタ層１とを含んで構成される光フィルタ複合層により、所望しない紫色の漏出現象と白色光の変質現象を防ぐことができるようになる。
【００２３】
なお、本発明の一実施形態に係る画像表示装置は、第１発光素子および第２発光素子を含む２つ以上の複数の発光素子を有しており、ＵＶ発光素子などの第１発光素子から放出される紫色波長は、光源の中心波長および波長の幅によって変化するようになり、広くは３８０ｎｍ〜４５０ｎｍの波長域、狭くは４００ｎｍ〜４２０ｎｍの波長域であり、前記第２発光素子は、白色光を出射する。
【００２４】
また、本発明は、前記光フィルタ層内の粒子密度を高めて効率を最大化するためにナノ（１００ｎｍ程度）粒子を用いるようになるが、粒子のサイズがこれに限定されることはない。
【００２５】
また、本発明において、第１光フィルタ層２の厚さは特に限定されず、発光素子として用いられる光源の種類、品質、および光源の強度によって適宜変更することができる。
【００２６】
以下、図２ａ〜図８を参照して、本発明に係る画像表示装置の一例として、電子機器のキーパッドアセンブリを挙げて発明を詳細に説明する。しかしながら、本発明が以下の例に制限または限定されることはない。
【００２７】
図２ａ〜図２ｃは、本発明に係る画像表示装置の一例であって、使用モードに応じて選択的に文字または数字を照明できるキーパッドアセンブリの構成を示した図である（第２光フィルタ層は図示せず）。
【００２８】
図２ａに示されたキーパッドアセンブリは、紫色波長吸収材料を適用させたものであり、ユーザーが操作する複数のキーボタンが設けられた数字入力ボード５および文字入力キーボード６を備え、発光素子として、第１発光素子であるＵＶ発光素子８と第２発光素子である白色発光素子９とを用いている。また、上記複数のキーボタンは、数字や文字を模った部分が前記発光素子から出射された光を透過するようにして点灯する構成となっている。
【００２９】
キーボタンが設けられた数字入力ボード５（第１入力ボード）の下部には、発光素子から出射する光の波長に応じて選択的に反応したり無反応となったりし、光を多様な色相に変換させる蛍光体粒子（球形粒子で表示される）を含む色相発現光フィルタ層が形成されている。また、キーボタンが設けられた文字入力キーボード（第２入力ボード）６の下部には、３８０ｎｍ〜４５０ｎｍの紫色波長吸収材料（球形粒子で表示される）を含む第１光フィルタ層が形成されている。すなわち、図２ｂに示されるように、第１発光素子であるＵＶ発光素子が発光するときには、数字入力ボード５部分の蛍光体粒子によって数字が点灯するようになるし、図２ｃに示されるように、第２発光素子である白色発光素子が発光するときには、数字と文字が点灯するようになる。なお、上記では、入力ボードとして、数字を入力する数字入力ボード５と文字を入力する文字入力ボード６とを例に挙げて説明しているが、入力ボードはこれに限定されず、キーパッドアセンブリとして、複数のキーボタンが設けられた入力ボードであれば良い。
【００３０】
本発明において、第１光フィルタ層および第２光フィルタ層の適用原理を図３〜図８を用いて順に説明すれば次の通りとなる。図３ａおよび図３ｂに示されるように、第１発光素子、すなわちＵＶ発光素子が発光するときに出射される光源は、一定の範囲の波長幅を有する波長（中心波長約４００ｎｍ）であって、３８０ｎｍ〜４５０ｎｍ、より狭くは４００ｎｍ〜４５０ｎｍの領域に渡った紫色波長部分が放出され、透明に表示されるべき文字部分に紫色が漏出する現象が発生するようになる。
【００３１】
このような紫色の漏出現象を遮断するために、図４ａに示されるように、３８０ｎｍ〜４５０ｎｍ、狭くは４００ｎｍ〜４５０ｎｍ領域の波長を吸収できるＢｉ２Ｏ３などの紫色遮断材料を用いて第１光フィルタ層を形成して適用する場合に、４００ｎｍ以上の波長がＢｉ２Ｏ３によって吸収され、ＵＶ発光素子（第１発光素子）から放出される紫色波長が遮断されるようになる。その結果、図４ｂに示されるように、文字部分に紫色が漏出する現象が防止される。
【００３２】
一方、図５は、図２ａに示されたキーパッドアセンブリにおいて、第２発光素子、すなわち白色発光素子が発光するときに青色波長と黄色波長が合わさって白色光が発現する原理を示した図である。すなわち、中心波長が約４６６ｎｍである青色波長と中心波長とが約５５１ｎｍである黄色波長が面積対比として約１：１の比率を維持するときに白色が具現される。
【００３３】
しかしながら、図６ａに示されるように、第１光フィルタ層のＢｉ２Ｏ３は、白色発光素子（第２発光素子）が発光するときに青色波長の一部を吸収するようになる。その結果、青色波長と黄色波長の面積比率が１：１から外れるようになる。すなわち、図６ｂに示されるように、Ｂｉ２Ｏ３による青色波長の吸収によって、白色光で発現されるべき文字部分が黄色に変化するようになる。
【００３４】
本発明の一実施形態では、白色光が変質しないようにするために、図７ａに示されるように、第２光フィルタ層として黄色波長を吸収する青色フィルタ層を採用した。その結果、図７ｂに示されるように、青色フィルタ層による黄色波長の吸収によって青色と黄色の波長のバランスが維持され、黄色に変色した文字部分が再び白色に戻ることになる。
【００３５】
さらに、図８ａおよび図８ｂに示されるように、青色フィルタ層（第２光フィルタ層）は、ＵＶ発光素子（第１発光素子）が発光するときに、Ｂｉ２Ｏ３の紫色波長の遮断特性に影響を及ぼさない。
【００３６】
以下、実施例を挙げて、本発明に係より詳細に説明する。なお、下記の実施例により本発明が限定されることはない。
【実施例】
【００３７】
＜実施例１〜４：Ｂｉ２Ｏ３を含む第１光フィルタ層の形成＞
ＴｉＯ２（８．３５ｇ）、Ｂｉ２Ｏ３（３３．３ｇ）、透明インク（１０ｇ）、およびサイクロヘキサン（１８ｇ）と直径１ｃｍ、０．３ｍｍのボール（ｂａｌｌ）を入れて組成物混合（ｐａｉｎｔ  ｓｈａｋｉｎｇ）を４時間に渡って行った後、シルクプリンティング方式を用いることで、第１光フィルタ層としてＴｉＯ２／Ｂｉ２Ｏ３フィルムを形成した。それぞれのＴｉＯ２／Ｂｉ２Ｏ３コーティング回数別に、コーティング２回は実施例１、コーティング３回は実施例２、コーティング４回は実施例３、コーティング５回は実施例４とした。
＜実験例１および比較実験例１：第１光フィルタ層の紫色遮断効果＞
本実験例１では、Ｂｉ２Ｏ３の紫色遮断効果を確認するために、実施例１〜４によって製造されたＴｉＯ２／Ｂｉ２Ｏ３フィルムを第１発光素子、すなわちＵＶ発光素子（中心波長４００ｎｍ）上に載せておき、ＵＶ発光するときに透過する光の強度を測定した（実験例１−ａ〜実験例１−ｄ）。このとき、光の強度は、オーシャンオプティクスＵＳＢ１００測定器（Ｏｃｅａｎ  Ｏｐｔｉｃｓ  ＵＳＢ  １００  ｄｅｔｅｃｔｏｒ）を用いて測定し、その結果は下記の表１および図９に示した。下記の測定結果において、ＴｉＯ２／Ｂｉ２Ｏ３フィルムを載せない状態でＵＶ発光素子が発光するときに測定される光の強度を比較実験例１として表示した。下記の測定結果において、光の漏出現象を肉眼で観察した結果、発生しない場合は×、微弱に発生した場合は△、ある程度発生した場合は○、相当発生した場合は◎で表示した。
【００３８】
【表１】
2008171002.tif 000003
【００３９】
前記表１および図９で確認されるように、Ｂｉ２Ｏ３を含む第１光フィルタ層を用いる場合に、Ｂｉ２Ｏ３によって４００ｎｍ〜４２０ｎｍの波長が吸収遮断され、その結果、紫色の漏出現象が阻止されることを知ることができる。
＜実験例２および比較実験例２：白色発光時の青色および黄色波長の変化確認＞
本実験例２では、実施例１〜４によって製造されたＴｉＯ２／Ｂｉ２Ｏ３フィルム層（第１光フィルタ層）を第２発光素子、すなわち白色発光素子の上に載せておき、白色発光時に透過する青色および黄色波長の強度を測定し（実験例２−ａ〜実験例２−ｄ）、その結果は下記の表２および図１０に示した（オーシャンオプティクスＵＳＢ１００測定器を使用）。下記の測定結果において、ＴｉＯ２／Ｂｉ２Ｏ３フィルムを載せない状態で白色発光素子が発光するときに測定される青色および黄色光の強度を比較実験例２として表示した。また、下記の測定結果において、青色／黄色の比率は、各波長のピーク高さの比率を示したものである。
【００４０】
【表２】
2008171002.tif 000004
【００４１】
上記表２および図１０によれば、Ｂｉ２Ｏ３を含む第１光フィルタ層を用いる場合、白色発光素子が発光するときにＢｉ２Ｏ３によって青色波長が吸収され、その結果、青色／黄色の比率が次第に低くなることを知ることができる。青色／黄色の比率が一定の水準から外れるようになれば、白色発光時に画像表示装置において白色が黄色に変色するようになる。
＜実施例５〜７：第２光フィルタ層の積層＞
本実施例５〜７では、実施例４によって製造された第１光フィルタ層であるＴｉＯ２／Ｂｉ２Ｏ３フィルム（コーティング５回）上に第２光フィルタ層として青色フィルタ層を各濃度別にコーティングして光フィルタ複合層を製造した。ここで、青色フィルタ層は、透明インク１２．５ｇに、溶媒ＰＧＭＥＡ（プロピレングリコールモノメチルエーテルアセテート）に２０ｗｔ％で含有された青色フィルタ（Ｉｎｏｒｇａｎｉｃ＝ＣｏＡｌ２Ｏ３）を、青色フィルタ層における青色フィルタの含量（ｗｔ％）がそれぞれ１．５ｗｔ％（実施例５）、２．０ｗｔ％（実施例６）、９．０ｗｔ％（実施例７）となるように透明インクに添加した後、ティンキ（ｔｉｎｋｙ）で分散して製造した。
＜実験例３：第２光フィルタ層の白色具現効果＞
本実験例３では、第２光フィルタ層である青色フィルタ層の白色具現効果を確認するために、実施例５〜７によって製造されたＴｉＯ２／Ｂｉ２Ｏ３フィルム層（第１光フィルタ層）と青色フィルタ層（第２光フィルタ層）とで構成された光フィルタ複合層を白色発光素子（第２発光素子）上に載せておき、白色発光時に透過する青色および黄色波長の強度を測定し（実験例３−ａ〜実験例３−ｃ）、その結果は下記の表３および図１１に示した（オーシャンオプティクスＵＳＢ１００測定器を使用）。
【００４２】
【表３】
2008171002.tif 000005
【００４３】
上記表３および図１１で確認されるように、白色発光素子（第２発光素子）の発光時に青色フィルタ層（第２光フィルタ層）によって黄色波長が吸収され、その結果、青色／黄色の比率が高くなることを知ることができる。このように、青色／黄色の比率が一定の水準まで回復してバランスを維持するようになれば、白色発光時に画像表示部において黄色に変色して発現していたものが再び白色に戻るようになる。通常、青色と黄色の波長の面積比率が１：１である場合に白色が具現されるようになるが、青色と黄色波長のピーク高さの比率で計算したときに約１．３の比率であれば、肉眼で観察したときに白色に見え、異常がないと判断することができる。
＜実験例４：第２光フィルタ層の紫色遮断効果に対する影響＞
本実験例４では、第２光フィルタ層である青色フィルタ層がＵＶ発光素子（第１発光素子）の発光時に紫色遮断効果にどのような影響を与えるかを確認するために、実施例５〜７によって製造されたＴｉＯ２／Ｂｉ２Ｏ３フィルム層（第１光フィルタ層）と青色フィルタ層（第２光フィルタ層）とで構成された光フィルタ複合層をＵＶ発光素子の上に載せておき、ＵＶ発光時に透過する光の強度を測定し（実験例４−ａ〜実験例４−ｃ）、その結果を図１２に示した（オーシャンオプティクスＵＳＢ１００測定器を使用）。
【００４４】
図１２に示すように、第２光フィルタ層、すなわち青色フィルタ層の存在の可否に関係なく、Ｂｉ２Ｏ３を含む第１光フィルタ層の紫色遮断効果が維持されることを知ることができる。すなわち、青色フィルタ層は、Ｂｉ２Ｏ３の紫色遮断効果に影響を与えない。
【００４５】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【産業上の利用可能性】
【００４６】
本発明は、画像表示装置の技術分野に有用である。
【図面の簡単な説明】
【００４７】
【図１】本発明の画像表示装置を説明するための光フィルタ複合層の一例を示した図である。
【図２ａ】本発明に係る画像表示装置を説明するためのキーパッドアセンブリの構成を示した図である。
【図２ｂ】本発明に係る画像表示装置を説明するためのキーパッドアセンブリの構成を示した図である。
【図２ｃ】本発明に係る画像表示装置を説明するためのキーパッドアセンブリの構成を示した図である。
【図３ａ】本発明に係る電子機器のキーパッドアセンブリにおいて、第１発光素子であるＵＶ発光素子が発光するときの波長（中心波長４００ｎｍ）を示した図である。
【図３ｂ】ＵＶ発光素子が発光するときに紫色が漏出することを示した図である。
【図４ａ】本発明に係る画像表示装置を説明するためのキーパッドアセンブリにおいて、Ｂｉ２Ｏ３を含む第１光フィルタ層によって４００ｎｍ以上の波長がＢｉ２Ｏ３によって吸収されることを示した図である。
【図４ｂ】Ｂｉ２Ｏ３による４００ｎｍ以上の波長吸収によって紫色が遮断されたことを示した図である。
【図５】本発明に係る画像表示装置を説明するためのキーパッドアセンブリにおいて、第２発光素子である白色発光素子が発光するときに、青色波長と黄色波長が合わさって白色光が発現することを示した図である。
【図６ａ】本発明に係る画像表示装置を説明するためのキーパッドアセンブリにおいて、Ｂｉ２Ｏ３を含む第１光フィルタ層によって白色発光素子（第２発光素子）が発光するときに青色波長の一部がＢｉ２Ｏ３によって吸収されることを示した図である。
【図６ｂ】Ｂｉ２Ｏ３による青色波長吸収によって白色光が黄色に変化したことを示した図である。
【図７ａ】本発明に係る画像表示装置を説明するためのキーパッドアセンブリにおいて、第２光フィルタ層である青色フィルタ（ｂｌｕｅ  ｃｏｌｏｒ  ｆｉｌｔｅｒ）層によって白色発光素子（第２発光素子）が発光するときに黄色波長が青色フィルタ層によって吸収されることを示した図である。
【図７ｂ】青色フィルタ層による黄色波長吸収によって黄色に変色した部分が白色に戻ることを示した図である。
【図８ａ】本発明に係る画像表示装置を説明するためのキーパッドアセンブリにおいて、第２光フィルタ層である青色フィルタ層がＵＶ発光素子（第１発光素子）が発光するときにＢｉ２Ｏ３の紫色波長遮断特性に影響を及ぼさないことを示した図である。
【図８ｂ】本発明に係る画像表示装置を説明するためのキーパッドアセンブリにおいて、第２光フィルタ層である青色フィルタ層がＵＶ発光素子（第１発光素子）が発光するときにＢｉ２Ｏ３の紫色波長遮断特性に影響を及ぼさないことを示した図である。
【図９】本発明に係る画像表示装置において、ＵＶ発光素子（第１発光素子）が発光するときにＢｉ２Ｏ３を含む第１光フィルタ層によって紫色が遮断されることを示した波長強度測定スペクトラムである。
【図１０】本発明に係る画像表示装置において、白色発光素子（第２発光素子）が発光するときにＢｉ２Ｏ３を含む第１光フィルタ層によって青色および黄色波長の比率が変化することを示した波長強度測定スペクトラムである。
【図１１】本発明に係る画像表示装置において、白色発光素子（第２発光素子）が発光するときに青色フィルタ層（第２光フィルタ層）によって青色および黄色波長の比率が調節されることを示した波長強度測定スペクトラムである。
【図１２】本発明に係る画像表示装置において、ＵＶ発光素子（第１発光素子）が発光するときに青色フィルタ層（第２光フィルタ層）がＢｉ２Ｏ３の紫色波長遮断特性に影響を及ぼさないことを示した波長強度測定スペクトラムである。
【符号の説明】
【００４８】
１    第２光フィルタ層、
２    第１光フィルタ層、
３    Ｂｉ２Ｏ３粒子、
４    ＴｉＯ２粒子、
５    数字入力ボード（蛍光体粒子含有）、
６    文字入力ボード（紫色波長吸収材料）、
７    拡散板、
８    ＵＶ発光素子（第１発光素子）、
９    白色発光素子（第２発光素子）。
【図１】
2008171002.tif 000006
【図２ａ】
2008171002.tif 000007
【図２ｂ】
2008171002.tif 000008
【図２ｃ】
2008171002.tif 000009
【図３ａ】
2008171002.tif 000010
【図３ｂ】
2008171002.tif 000011
【図４ａ】
2008171002.tif 000012
【図４ｂ】
2008171002.tif 000013
【図５】
2008171002.tif 000014
【図６ａ】
2008171002.tif 000015
【図６ｂ】
2008171002.tif 000016
【図７ａ】
2008171002.tif 000017
【図７ｂ】
2008171002.tif 000018
【図８ａ】
2008171002.tif 000019
【図８ｂ】
2008171002.tif 000020
【図９】
2008171002.tif 000021
【図１０】
2008171002.tif 000022
【図１１】
2008171002.tif 000023
【図１２】
2008171002.tif 000024